(57)【要約】【課題】アクリル板で形成されている保護パネルと、この保護パネルを支持する金属製部材で形成されているシャーシとの組立てにおいて、組立て時はガイドの役目をし、組立て後は保護パネルの膨張を吸収するような構造にして保護パネルの変形、歪を防止する構造を備えた表示装置を提供する。【解決手段】透明部材で形成された保護パネルと、外側から保護パネルを取付け内側から液晶表示パネルを取付けるシャーシとからなる表示装置であって、シャーシには保護パネルを取付ける一部に少なくとも２個のガイド凸部を形成し、ガイド凸部に遊嵌できる大きさに形成した保護パネルのガイド凹部の外側面がガイド凸部の外側面に接するように保護パネルをシャーシに取付けたことである。【選択図】      図１
2004151277.tif 000002
【特許請求の範囲】
【請求項１】
透明部材で形成された保護パネルと、外側から前記保護パネルを取付け内側から液晶表示パネルを取付けるシャーシとからなる表示装置であって、
前記シャーシには前記保護パネルを取付ける一部に少なくとも２個のガイド凸部を形成し、前記ガイド凸部に遊嵌できる大きさに形成した前記保護パネルのガイド凹部の外側面が前記ガイド凸部の外側面に接するように前記保護パネルを前記シャーシに取付けたことを特徴とする表示装置。
【請求項２】
前記ガイド凸部は、対向する位置関係で設けたことを特徴とする請求項１に記載の表示装置。
【請求項３】
前記ガイド凸部は、コーナー部分に形成し、それぞれの前記ガイド凸部に遊嵌できる大きさに形成した前記保護パネルのガイド凹部のコーナー方向内側面が前記ガイド凸部のコーナー方向外側面に接するように前記保護パネルを前記シャーシに取付けたことを特徴とする請求項１に記載の表示装置。
【請求項４】
前記保護パネルはアクリル板で形成し、前記シャーシは金属製部材で形成したことを特徴とする請求項１に記載の表示装置。
【発明の詳細な説明】
【０００１】
【発明の属する技術分野】
本発明は、表示装置に関するものであり、詳しくは、操作監視用制御盤の液晶ディスプレイ保護用アクリルパネルの取付け機構に関するものであり、又、操作監視用制御盤の液晶ディスプレイに限定されることなく、特に設置環境温度が厳しい表示器を搭載した表示装置に関するものである。
【０００２】
【従来の技術】
従来技術における表示装置は、図８に示すように、液晶パネル１１１を保護パネル１１２で覆った構造になっており、それは、略四角形状の液晶パネル１１１に対して、金属製部材のシャーシ１１３を介在させ、液晶パネル１１１の上部面に一定の隙間を持たせて、透明又は半透明なアクリル板で形成された保護パネル１１２を取り付けた構造になっている。この保護パネル１１２は、４辺で支持金具１１４により取付けられた構造になっている。更に、この保護パネル１１２の外周位置には所定の幅からなる帯状にベタ印刷した目隠し部１１５を備えた構成になっている。
又、支持金具１１４は、直角形状に形成され、角の部分に保護パネル１１２の外側コーナー部分を係合する鍔部１１６ａ、１１６ｂを設けた構造になっている。
【０００３】
さて、金属製部材のブラケットであるシャーシ１１３にアクリル板の保護パネル１１２を支持金具１１４で取り付けるのであるが、保護パネル１１２を正確に取付けるためには、図９（Ａ）に示すように、支持金具１１４とシャーシ１１３で挟持する保護パネル１１２の先端部分を支持金具１１４の内側面に当接させるようにしてクリアランス（１１７）をなくした状態で位置決めを行って取付ける。
このようにして取付けると、位置決めを行うために保護パネル１１２のクリアランス（１１７）がなくなるため、アクリル板の熱膨張変位を吸収する部分がなくなる。
この問題を解決するために、アクリル板の熱変形防止を考慮した保護パネル１１２は、図９（Ｂ）に示すように、支持金具１１４とシャーシ１１３に挟持される保護パネル１１２に所定のクリアランス１１８を持たせて取付けることにより、アクリル板の熱膨張変位による変形を防止することができる（例えば、引用文献１参照）。
【０００４】
このように、保護パネル１１２を支持する支持金具１１４のクリアランス１１８を持たせる手法のほかに、保護パネルを枠内に取付ける際に、弾性支持部材を用いて取付けることで、保護パネルが熱膨張しても、その膨張変化分を吸収するものもある（例えば、特許文献２参照）。
【０００５】
又、他の保護パネルの変形を防止する手法として、表示開口部を設けて、その中に偏光板を収納するようにして、反りや歪みを防止する技術がある（例えば、引用文献３参照）
特許文献としては下記に示すものがあった。特開平６−９５１１０号公報については第３頁  第２図を参照、特開平４−３６２６１２号公報については第２頁第１図を参照、特開平５−５３１０６号公報については第３頁  第１図を参照のこと。
【０００６】
【特許文献１】
特開平６−９５１１０号公報
【特許文献２】
特開平４−３６２６１２号公報
【特許文献３】
特開平５−５３１０６号公報
【０００７】
【発明が解決しようとする課題】
しかしながら、従来技術で説明した表示装置における液晶パネルを保護する保護パネルは、樹脂製のアクリル板を使用しており、このアクリル板はその周囲を構成する金属製のシャーシと比べ、線膨張係数が大きいため、周囲の温度変化で双方の変位量が大きく異なることとなる。
このため、アクリル板をシャーシ側にネジ固定若しくは支持金具を用いて、アクリル板の位置拘束をして固定する方法をとると、上述した、図９（Ａ）に示すように、熱変形分を吸収しきれず、パネル表面が歪んでしまうという問題がある。
この歪みを回避するため、上述した図９（Ｂ）に示すように、支持金具と保護パネル間に熱変形分を考慮したクリアランスを確保するようにすると、今度は組立て時の位置決めがとれないで、そのクリアランス分のガタが生じてしまい保護パネルの組立て製に問題が生じてしまう。
一般的に液晶ディスプレイのパネルは、その有効表示エリアと外枠部（シャーシ）の距離は数ミリ（略２ｍｍ程度）であり、保護パネルの位置決めがとれないと、表示エリアに対応したベタ抜きした部分（目隠し部）が表示エリア若しくは液晶ディスプレイ外枠部に重なってしまい、表示エリアの一部を隠してしまうか、液晶ディスプレイ外枠部の一部が見えてしまうという不都合が発生してしまうという問題がある。
従って、位置決めと熱膨張の変位の吸収を両立する構造の表示装置に解決しなければならない課題を有する。
【０００８】
【課題を解決するための手段】
上記課題を解決するために、本発明に係る表示装置は、次に示す構成にすることである。
【０００９】
（１）透明部材で形成された保護パネルと、外側から前記保護パネルを取付け内側から液晶表示パネルを取付けるシャーシとからなる表示装置であって、
前記シャーシには前記保護パネルを取付ける一部に少なくとも２個のガイド凸部を形成し、前記ガイド凸部に遊嵌できる大きさに形成した前記保護パネルのガイド凹部の外側面が前記ガイド凸部の外側面に接するように前記保護パネルを前記シャーシに取付けたことである。
（２）前記ガイド凸部は、対向する位置関係で設けたことを特徴とする（１）に記載の表示装置。
（３）前記ガイド凸部は、コーナー部分に形成し、それぞれの前記ガイド凸部に遊嵌できる大きさに形成した前記保護パネルのガイド凹部のコーナー方向内側面が前記ガイド凸部のコーナー方向外側面に接するように前記保護パネルを前記シャーシに取付けたことを特徴とする（１）に記載の表示装置。
（４）前記保護パネルはアクリル板で形成し、前記シャーシは金属製部材で形成したことを特徴とする（１）に記載の表示装置。
【００１０】
このように、シャーシに保護パネルを取付ける際に、ガイド凸部とガイド凹部とを係合させて位置決めを行って組立てる。組立て後は、保護パネルの膨張変化をガイド凸部によりガイドさせるようにしたことにより、組立て時は正確な組立てを行え、組立て後は保護パネルの膨張をガイド凸部にガイドされてガイド凹部のクリアランス分だけ逃がすことで、保護パネルの歪み変形を無くすことができる。
【００１１】
【発明の実施の形態】
次に、本発明に係る表示装置の実施形態について、図面を参照して説明する。
【００１２】
本願発明の表示装置は、図１に示すように、透明樹脂製部材で形成された四角形状のアクリル板で形成された保護パネル１１と、外側から保護パネル１１を取付け内側から液晶パネル１２を取付ける金属製部材で形成されたシャーシ１３とから構成されている。
シャーシ１３には、保護パネル１１を取付ける一部に少なくとも２個のガイド凸部１４を形成し、このガイド凸部１４に遊嵌できる大きさに形成した保護パネル１１のガイド凹部１５の外側面がガイド凸部１４の外側面に接するように保護パネル１１をシャーシ１３に取付けた構造になっている。
【００１３】
保護パネル１１は、四角形状に形成した外周縁に帯び状にベタ印刷した目隠し部２０を形成し、目隠し部２０の内側が表示領域２１となる。そして、このコーナーの４辺に孔からなるガイド凹部１５を備えた構成になっている。
【００１４】
シャーシ１３は、保護パネル１１に設けたガイド凹部１５を遊嵌合するガイド凸部１４をエンボス加工により形成する。このガイド凸部１４は、保護パネル１１の位置決めに使用し且つ保護パネル１１の膨張したときのガイドの役目をする。
【００１５】
更に、具体的に示せば、図２〜図４に示すように、ガイド凸部１４は、対向する位置関係で配設した構成になっており、このガイド凸部１４は、図４に示すように、コーナー部分に４個形成し、それぞれのガイド凸部１４に遊嵌できる大きさに形成した保護パネル１１のガイド凹部１５のコーナー方向内側面１６がガイド凸部１４のコーナー方向外側面１７に接するように保護パネル１１をシャーシ１３に取付け、支持金具１８（図２参照）で係合係止する。
【００１６】
支持金具１８は、図１に示すように、直角形状に形成され、角の部分に保護パネル１１の外側コーナー部分を係合する鍔部１９ａ、１９ｂを設けた構造になっている。
【００１７】
このような構造からなる保護パネル１１をシャーシ１３に組み込むためには、図４に示すように、先ず、シャーシ１３の４辺に設けたガイド凸部１４のそれぞれに保護パネル１１のガイド凹部１５のコーナー方向内側面１６を接した状態で位置決めして係合すればよい。
【００１８】
係合組み立てられた後に、液晶パネル１２が動作し、一般的に液晶パネル１２のバックライトが発熱し、液晶パネル１２を支持するシャーシ１３の温度が高くなると、アクリル板で形成されている保護パネル１１の温度が上がることで膨張する。保護パネル１１が膨張すると、図５〜図７に示すように、保護パネル１１は、４辺コーナーのガイド凸部１４で係合係止されているガイド凹部１５が保護パネル１１全体の膨張により、ガイド凹部１５がコーナー方向に移動し、その移動を吸収し、コーナー反対方向内側面１７ａ（図７参照）がガイド凸部１４に当接した状態となって係止される。
【００１９】
【発明の効果】
上記説明したように、本発明に係る表示装置は、保護パネルの取付け時には位置決めガイドの役目をし、取付け後は保護パネルの膨張を吸収するように機能し、保護パネルの機能である液晶パネルのシャーシ部分の目隠し部分を隠し、且つ保護パネルの熱変形による歪を抑えることができるという効果がある。
【図面の簡単な説明】
【図１】本発明に係る表示装置の略示的な分解斜視図である。
【図２】同、保護パネルを取付けた状態の要部の平面図である。
【図３】同、保護パネル、シャーシ、支持金具との支持状態を示す図１のＡ−Ａ線断面図である。
【図４】同、保護パネルのコーナー部分の係合状態を示し説明図である。
【図５】同、保護パネルが膨張したときの状態を示す説明図である。
【図６】同、図５に示すＢ−Ｂ線断面図である。
【図７】同、保護パネルのコーナー部分の膨張状態を示した説明図である。
【図８】従来技術における表示装置を示す略示的な分解斜視図である。
【図９】従来技術におけるシャーシ、保護パネル、支持金具による支持状態を示す断面図である。
【符号の説明】
１１  保護パネル
１２  液晶パネル
１３  シャーシ
１４  ガイド凸部
１５  ガイド凹部
１６  コーナー方向内側面
１７  コーナー方向外側面
１８  支持金具
１９ａ  鍔部
１９ｂ  鍔部
２０  目隠し部
２１  表示領域
【図１】
2004151277.tif 000003
【図２】
2004151277.tif 000004
【図３】
2004151277.tif 000005
【図４】
2004151277.tif 000006
【図５】
2004151277.tif 000007
【図６】
2004151277.tif 000008
【図７】
2004151277.tif 000009
【図８】
2004151277.tif 000010
【図９】
2004151277.tif 000011